(57)【特許請求の範囲】
【請求項１】
交流電圧を直流電圧に変換して同期機の界磁巻線に界磁電流を供給するサイリスタ整流器と、前記サイリスタ整流器と前記同期機の界磁巻線との接続を開閉する主極接点を有し前記同期機の界磁巻線を放電抵抗を介して短絡させるための放電極接点を有する界磁遮断器とを具備する、同期機の励磁装置であって、
前記界磁遮断器の遮断指令に応じて前記界磁遮断器に対する界磁遮断器遮断信号を出力するとともに前記サイリスタ整流器に対する位相シフト信号を出力する界磁遮断器遮断手段と、
前記位相シフト信号に従って前記サイリスタ整流器のゲートパルス信号の位相を所定の値以上に遅らせる点弧位相制限手段と
を備え、
前記サイリスタ整流器のゲートパルス信号は、位相遅れにより前記サイリスタ整流器の出力に負電圧を発生させ、前記界磁遮断器遮断信号は、前記放電極接点を投入させ、前記主極接点に流れる電流が前記放電極接点及び前記放電抵抗を通じて転流した後に、前記主極接点を無通電状態で開放させる、同期機の励磁装置。
【請求項２】
前記転流によって前記主極接点に流れる電流が０になってから、前記主極接点を無通電状態で開放させるようにした、請求項１に記載の同期機の励磁装置。
【請求項３】
前記サイリスタ整流器の入力電流と前記同期機の交流出力電圧を入力して、前記サイリスタ整流器の余裕角が所定の値になるような遅れ位相を算出する遅れ位相演算手段をさらに備え、
前記点弧位相制限手段は、前記位相シフト信号に従って前記サイリスタ整流器のゲートパルス信号の位相を前記遅れ位相演算手段により算出される遅れ位相以上に遅らせる、請求項１又は２に記載の同期機の励磁装置。
【請求項４】
前記遅れ位相演算手段は、
前記サイリスタ整流器の入力電流の電流検出信号にあらかじめ設定した励磁電源変圧器の％インピーダンスを乗じて得られる信号を出力する乗算器と、
前記乗算器が出力する信号を前記同期機の交流出力電圧の電圧検出信号で除して得られる信号を出力する除算器と、
前記除算器が出力する信号にあらかじめ設定した余裕角設定の余弦を加算して得られる信号を出力する加算器と、
前記加算器が出力する信号の逆余弦を演算して得られる信号を遅れ位相として出力する逆余弦演算器と
を含む、請求項３に記載の同期機の励磁装置。
【請求項５】
交流電圧を直流電圧に変換して同期機の界磁巻線に界磁電流を供給するサイリスタ整流器と、前記サイリスタ整流器と前記同期機の界磁巻線との接続を開閉する主極接点を有し前記同期機の界磁巻線を放電抵抗を介して短絡させるための放電極接点を有する界磁遮断器とを具備する同期機の励磁装置に適用される界磁遮断器遮断方法であって、
前記界磁遮断器を遮断するに際し、前記サイリスタ整流器のゲートパルス信号の位相を所定の値以上に遅らせることによって前記サイリスタ整流器の出力に負電圧を発生させ、前記放電極接点を投入させ、前記主極接点に流れる電流を前記放電極接点及び前記放電抵抗を通じて転流させた後に、前記主極接点を無通電状態で開放させる、界磁遮断器遮断方法。
【請求項６】
交流電圧を直流電圧に変換して同期機の界磁巻線に界磁電流を供給するサイリスタ整流器と、前記サイリスタ整流器と前記同期機の界磁巻線との接続を開閉する主極接点を有し前記同期機の界磁巻線を放電抵抗を介して短絡させるための放電極接点を有する界磁遮断器とを具備する同期機の励磁装置に適用される界磁遮断器遮断方法であって、
界磁遮断器遮断手段により、前記界磁遮断器の遮断指令に応じて前記界磁遮断器に対する界磁遮断器遮断信号を出力するとともに前記サイリスタ整流器に対する位相シフト信号を出力し、
点弧位相制限手段により、前記位相シフト信号に従って前記サイリスタ整流器のゲートパルス信号の位相を所定の値以上に遅らせ、
前記サイリスタ整流器のゲートパルス信号は、位相遅れにより前記サイリスタ整流器の出力に負電圧を発生させ、前記界磁遮断器遮断信号は、前記放電極接点を投入させ、前記主極接点に流れる電流が前記放電極接点及び前記放電抵抗を通じて転流した後に、前記主極接点を無通電状態で開放させる、界磁遮断器遮断方法。
【請求項７】
交流電圧を直流電圧に変換して同期機の界磁巻線に界磁電流を供給するサイリスタ整流器と、前記サイリスタ整流器と前記同期機の界磁巻線との接続を開閉する主極接点を有し前記同期機の界磁巻線を放電抵抗を介して短絡させるための放電極接点を有する界磁遮断器とを具備する、同期機の励磁装置であって、
前記界磁遮断器の遮断指令に応じて前記界磁遮断器に対する界磁遮断器遮断信号を出力するとともに前記サイリスタ整流器に対する位相シフト信号を出力する界磁遮断器遮断手段と、
前記位相シフト信号に従って前記サイリスタ整流器のゲートパルス信号の位相を所定の値以上に遅らせる点弧位相制限手段と、
前記サイリスタ整流器の入力電流と前記同期機の交流出力電圧を入力して、前記サイリスタ整流器の余裕角が所定の値になるような遅れ位相を算出する遅れ位相演算手段と
を備え、
前記点弧位相制限手段は、前記位相シフト信号に従って前記サイリスタ整流器のゲートパルス信号の位相を前記遅れ位相演算手段により算出される遅れ位相以上に遅らせ、
前記サイリスタ整流器のゲートパルス信号の位相遅れにより前記サイリスタ整流器の出力に負電圧を発生させ、前記界磁遮断器遮断信号に応じて、前記主極接点に流れる電流を前記放電極接点を通じて転流させた後に、前記主極接点を無通電状態で開放させるようにした、同期機の励磁装置。
【請求項８】
前記遅れ位相演算手段は、
前記サイリスタ整流器の入力電流の電流検出信号にあらかじめ設定した励磁電源変圧器の％インピーダンスを乗じて得られる信号を出力する乗算器と、
前記乗算器が出力する信号を前記同期機の交流出力電圧の電圧検出信号で除して得られる信号を出力する除算器と、
前記除算器が出力する信号にあらかじめ設定した余裕角設定の余弦を加算して得られる信号を出力する加算器と、
前記加算器が出力する信号の逆余弦を演算して得られる信号を遅れ位相として出力する逆余弦演算器と
を含む、請求項７に記載の同期機の励磁装置。
【請求項９】
交流電圧を直流電圧に変換して同期機の界磁巻線に界磁電流を供給するサイリスタ整流器と、前記サイリスタ整流器と前記同期機の界磁巻線との接続を開閉する主極接点を有し前記同期機の界磁巻線を放電抵抗を介して短絡させるための放電極接点を有する界磁遮断器とを具備する同期機の励磁装置に適用される界磁遮断器遮断方法であって、
界磁遮断器遮断手段により、前記界磁遮断器の遮断指令に応じて前記界磁遮断器に対する界磁遮断器遮断信号を出力するとともに前記サイリスタ整流器に対する位相シフト信号とを出力し、
点弧位相制限手段により、前記位相シフト信号に従って前記サイリスタ整流器のゲートパルス信号の位相を所定の値以上に遅らせ、
遅れ位相演算手段により、前記サイリスタ整流器の入力電流と前記同期機の交流出力電圧を入力して、前記サイリスタ整流器の余裕角が所定の値になるような遅れ位相を算出し、
前記点弧位相制限手段による処理では、前記位相シフト信号に従って前記サイリスタ整流器のゲートパルス信号の位相を前記遅れ位相演算手段により算出される遅れ位相以上に遅らせ、
前記サイリスタ整流器のゲートパルス信号の位相遅れにより前記サイリスタ整流器の出力に負電圧を発生させ、前記界磁遮断器遮断信号に応じて、前記主極接点に流れる電流を前記放電極接点を通じて転流させた後に、前記主極接点を無通電状態で開放させる、界磁遮断器遮断方法。
【発明の詳細な説明】
【技術分野】
【０００１】
本発明の実施形態は、同期機の励磁装置および界磁遮断器遮断方法に関する。
【背景技術】
【０００２】
一般的な同期機の励磁装置は、特許文献１にも記載されている通り、励磁電源変圧器、自動電圧調整装置、サイリスタ整流器、放電抵抗器、及び放電極接点を備えた界磁遮断器とで構成され、特に界磁遮断器は同期機の運転、停止時にサイリスタ整流器と界磁巻線との接続を開閉することを目的としている。
【０００３】
一般に同期機を通常停止、もしくは緊急停止させる場合に、界磁遮断器は運転員もしくは保護装置等からの界磁遮断器遮断指令を受けて遮断動作を開始し、まず放電極接点を投入して一定の遅延を以って主極接点を開放することで、放電極接点と放電抵抗器とによる界磁電流の放電回路を確保した後に主極接点を開放するようにしている。界磁遮断器を開放した後は、界磁巻線に蓄積されたエネルギーが放電抵抗器で消費されることで界磁電流が減衰する。
【０００４】
また、界磁遮断器の遮断動作に合わせて、自動電圧調整装置はサイリスタ整流器へのゲートパルス信号を停止することが一般的である。
【０００５】
界磁遮断器を遮断する場合の最も単純かつ自明な方法として、界磁遮断器遮断手段より出力される界磁遮断器遮断指令により界磁遮断器を遮断した後にサイリスタ整流器へのゲートパルス信号を停止する方法（以降、従来手法１と称する）が考えられる。
【０００６】
一方、特許文献２にて明らかにされている通り、サイリスタ整流器へのゲートパルス信号を停止した後に界磁遮断器を遮断する方法（以降、従来手法２と称する）及び、サイリスタ整流器へのゲートパルス信号を遅れ位相側に制御して界磁電流を減衰させた後に界磁遮断器を遮断する方法（以降、従来手法３と称する）も存在する。
【先行技術文献】
【特許文献】
【０００７】
【特許文献１】特開２０１２−２１００８４号公報
【特許文献２】特開２００５−１６０２５８号公報
【発明の概要】
【発明が解決しようとする課題】
【０００８】
上述した従来手法１〜３による界磁遮断器の遮断方法には以下の課題がある。
【０００９】
従来手法１では、界磁遮断器遮断指令が界磁遮断器遮断手段を介して、ある程度の機械的及び電気的制約による遅延を以って界磁遮断器の遮断動作が行われるが、このとき放電極接点が投入され放電回路が形成されてもサイリスタ整流器の整流動作が継続しているため、サイリスタ整流器により界磁電圧が発生して主極接点には電流が流れている。この状態で主極接点が開放されると、この電流が急激に遮断されることによるアーク放電が発生する。
【００１０】
また、従来手法２では、界磁遮断器遮断指令を受けて自動電圧調整装置はサイリスタ整流器へのゲートパルス信号を停止して整流動作を停止させる。このとき界磁電圧の波形にはサイリスタ整流器の入力側の交流電圧波形が現れる。この交流電圧波形が正の期間で放電極接点の投入と主極接点の遮断が行われると、主極接点は界磁遮断器遮断動作以前に流れていた界磁電流よりも大きい電流を遮断することとなり、主極接点にアーク放電が発生してしまう。
【００１１】
一方、従来手法３では、従来手法２のサイリスタ整流器へのゲートパルス信号を停止する方法に代わり、ゲートパルス信号を遅れ位相側に制御して主極接点に流れる電流を減衰させて主極接点を開放することでアーク放電の発生を防止しているが、界磁電流の減衰にはある程度の時間を要するため、同期機の保護停止時等、即時に界磁遮断器の遮断動作を必要とする場合には適用できないという問題がある。
【００１２】
本発明は上記実情に鑑みてなされたものであり、界磁遮断器を遮断するに際し、主極接点にアーク放電を発生させずに、主極接点を無通電状態で速やかに開放することができる界磁遮断器遮断装置および界磁遮断器遮断方法を提供することを目的とする。
【課題を解決するための手段】
【００１３】
実施形態によれば、交流電圧を直流電圧に変換して同期機の界磁巻線に界磁電流を供給するサイリスタ整流器と、前記サイリスタ整流器と前記同期機の界磁巻線との接続を開閉する主極接点を有し前記同期機の界磁巻線を放電抵抗を介して短絡させるための放電極接点を有する界磁遮断器とを具備する、同期機の励磁装置であって、前記界磁遮断器の遮断指令に応じて前記界磁遮断器に対する界磁遮断器遮断信号を出力するとともに前記サイリスタ整流器に対する位相シフト信号を出力する界磁遮断器遮断手段と、前記位相シフト信号に従って前記サイリスタ整流器のゲートパルス信号の位相を所定の値以上に遅らせる点弧位相制限手段とを備え、前記サイリスタ整流器のゲートパルス信号は、位相遅れにより前記サイリスタ整流器の出力に負電圧を発生させ、前記界磁遮断器遮断信号は、前記放電極接点を投入させ、前記主極接点に流れる電流が前記放電極接点及び前記放電抵抗を通じて転流した後に、前記主極接点を無通電状態で開放させる、同期機の励磁装置が提供される。
【発明の効果】
【００１４】
本発明によれば、界磁遮断器を遮断するに際し、主極接点にアーク放電を発生させずに、主極接点を無通電状態で速やかに開放することができる。
【図面の簡単な説明】
【００１５】
【図１】第１の実施形態に関わる同期機の励磁装置の構成を示す図。
【図２】同実施形態における界磁遮断器を遮断する手順を示すタイミングチャート。
【図３】第２の実施形態に関わる同期機の励磁装置の構成を示す図。
【図４】同実施形態における遅れ位相制限手段の構成例を示す図。
【発明を実施するための形態】
【００１６】
以下、実施の形態について、図面を参照して説明する。
【００１７】
［第１の実施形態］
まず、図１および図２を参照して第１の実施形態について説明する。
【００１８】
（構成）
図１は、第１の実施形態に関わる同期機の励磁装置の構成を示す図である。
【００１９】
１は同期機であり、界磁回路を備える。同期機１の界磁回路において、２は界磁巻線であり、界磁電流Ｉｆが流れる際に同期機１を励磁する。３は同期機１の界磁回路を遮断または接続するための界磁遮断器であり、界磁巻線２とサイリスタ整流器との接続を開閉する主極接点４を有し、界磁巻線２を放電抵抗器６を介して短絡させる放電極接点５を有する。
【００２０】
７はサイリスタ整流器であり、励磁電源変圧器９を介して同期機１から供給される交流電力を整流して、界磁遮断器３の主極接点４を介して界磁巻線２に界磁電流Ｉｆを供給する。
【００２１】
８は自動電圧調整装置（ＡＶＲ）であり、同期機１の出力側に接続された計器用変圧器１０を介して同期機１の交流出力電圧Ｖｇに比例した電圧検出信号Ｖｇｄを出力する電圧検出手段１４と、電圧設定値Ｖｒを出力する電圧設定手段１５と、電圧設定値Ｖｒから電圧検出信号Ｖｇｄを減算して電圧偏差Ｖｅを出力する減算器２０と、電圧偏差Ｖｅを増幅して位相制御信号αを出力する電圧制御手段１６と、界磁遮断器遮断手段１９が出力する位相シフト信号Ｓｈを入力して位相制御信号αを所定の遅れ位相αｓより遅れた位相に制限して点弧位相信号αｐを出力する点弧位相制限手段１７と、点弧位相信号αｐに応じたタイミングでサイリスタ整流器７のゲートパルス信号Ｐを出力するゲートパルス発生手段１８とを有する。
【００２２】
１９は界磁遮断器遮断手段であり、停止操作時や保護停止時に入力される界磁遮断器遮断指令Ｓｔｐに応じて、界磁遮断器３へ界磁遮断器遮断信号Ｏｐを出力するとともに自動電圧調整装置８へ位相シフト信号Ｓｈを出力する。
【００２３】
このような構成において、自動電圧調整装置８は、ゲートパルス信号Ｐの位相遅れによりサイリスタ整流器７の出力に負電圧を発生させ、界磁遮断器３は、界磁遮断器遮断信号Ｏｐに応じて、主極接点４に流れる電流を放電極接点５を通じて転流させた後に、主極接点４を無通電状態で開放させる。
【００２４】
なお、本実施形態おいて「〜手段」と称した個々の要素は、ハードウェアで実現してもよいが、少なくとも一部をソフトウェアで実現してもよい。
【００２５】
（作用）
次に、図２を参照して、同実施形態における界磁遮断器を遮断する手順を説明する。
【００２６】
いま、界磁遮断器遮断指令Ｓｔｐは、界磁遮断器遮断手段１９に入力されておらず、放電極接点５は開の状態にあり、主極接点４は閉の状態にある。また、界磁電圧Ｖｆは、サイリスタ整流器７の駆動により交流電圧を整流した波形に応じた電圧であり、主極接点４の電流Ｉａは界磁電圧Ｖｆを界磁巻線２の抵抗分で除算した値に相当する電流である。
【００２７】
界磁遮断器遮断手段１９は、界磁遮断器遮断指令Ｓｔｐが入力されると、界磁遮断器遮断信号Ｏｐを出力するとともに、位相シフト信号Ｓｈを出力する。
【００２８】
位相シフト信号Ｓｈが自動電圧調整装置８に入力されると、位相シフトが開始される。すなわち、点弧位相制限手段１７は、位相シフト信号Ｓｈが入力されると、サイリスタ整流器７のゲートパルス信号Ｐを所定の遅れ位相αｓより遅らせる。点弧位相制限手段１７が、遅れ位相αｓより遅れた位相に制限した点弧位相信号αｐを出力すると、ゲートパルス発生手段１８は、点弧位相信号αｐに応じたタイミングでサイリスタ整流器７のゲートパルス信号Ｐを出力する。
【００２９】
これにより、サイリスタ整流器７の出力に負電圧が発生し、界磁巻線２には負の界磁電圧Ｖｆが印加されるようになる。
【００３０】
一方、界磁遮断器遮断信号Ｏｐが界磁遮断器３に入力されてから放電極接点５が投入されるまでには数十ｍｓｅｃ程度以上の時間を要するため、この間に界磁電圧Ｖｆは負の値への移行を完了している。従って、放電極接点５が投入される時点では、サイリスタ整流器７の遅れ位相運転により一般的に下記の（１）式の関係が成り立つので、主極接点４の電流Ｉａは放電極接点５側へ転流して速やかに減少する。
【００３１】
−界磁電流Ｉｆ×放電抵抗器６の抵抗値Ｒｆ＞界磁電圧Ｖｆ  ・・・（１）
主極接点４の電流Ｉａは放電極接点５を投入後の短時間（一般的に１ｍｓｅｃ程度以下）で０となる。これは一般的に放電極接点５の投入から主極接点４の開放までに要する時間（５ｍｓｅｃ程度）より短い。そのため、主極接点４は、電流Ｉａが０となった直後に、無通電状態で開放される。
【００３２】
このように、主極接点４は速やかに且つ主極接点４の開放時にアーク放電を発生させることなく無通電で開放され、界磁遮断器３が速やかに遮断されることになる。
【００３３】
（効果）
第１の実施形態によれば、サイリスタ整流器７の位相遅れ運転によりサイリスタ整流器７の出力に負電圧を発生させて主極接点４に流れる電流Ｉａを放電極接点５側に速やかに転流させるので、界磁遮断器３の主極接点４を無通電状態で速やかに開放することができ、主極接点４の負担を軽減して界磁遮断器３の長寿命化が期待できると同時に、従来の一般的な界磁回路の各要素に対して大がかりな装置を追加することなく、周知の励磁装置の構成を小変更することで実現することが可能である。
【００３４】
［第２の実施形態］
次に、図３および図４を参照して第２の実施形態について説明する。以下では、前述の第１の実施形態と共通する部分の説明を省略し、異なる部分を中心に説明する。
【００３５】
（構成）
図３は、第２の実施形態に関わる同期機の励磁装置の構成を示す図である。
【００３６】
第２の実施形態は、第１の実施形態の構成に対して、電流検出手段２１と、遅れ位相演算手段２２を追加した構成であり、それ以外の構成は第１の実施形態と同一である。
【００３７】
電流検出手段２１は、サイリスタ整流器７の入力電流に比例した電流検出信号Ｉｔｄを出力する。
【００３８】
遅れ位相演算手段２２は、電圧検出信号Ｖｇｄと電流検出信号Ｉｔｄを入力して以下の計算式（２）に従い遅れ位相αｓｈを演算して出力する。この場合、点弧位相制限手段１７は、位相シフト信号Ｓｈがオンのときに位相制御信号αを遅れ位相αｓｈより遅れた位相に制限して点弧位相信号αｐとして出力する。すなわち、点弧位相制限手段１７は、ゲートパルス発生手段１８が発生するゲートパルス信号Ｐの位相を遅れ位相αｓｈ以上に遅らせる。
【００３９】
αｓｈ＝ｃｏｓ−１［ＸＩ／Ｖ＋ｃｏｓγ］  ・・・（２）
ここで、
αｓｈ：遅れ位相
γ：余裕角設定
Ｘ：励磁電源変圧器９の％ＩＺ
Ｉ：電流検出信号Ｉｔｄに比例した値（サイリスタ整流器７の入力電流のｐ．ｕ．値）
Ｖ：電圧検出信号Ｖｇｄに比例した値（同期機１の交流出力電圧Ｖｇのｐ．ｕ．値（＝励磁電源変圧器９の１次側電圧のｐ．ｕ．値））
計算式（２）の中の「ＸＩ／Ｖ」は、転流の速さを決定づける要素である。ＸＩは、転流を遅らせる度合いを決定づけ、Ｖ、は転流を促進させる度合いを決定づける。γは、サイリスタ整流器７の転流余裕角を設定するための要素である。
【００４０】
遅れ位相演算手段２２の具体的な構成例を図４に示す。
【００４１】
図４に示されるように、遅れ位相演算手段２２は、乗算器２２１、除算器２２２、加算器２２３、および逆余弦演算器２２４を有する。
【００４２】
乗算器２２１は、電流検出信号Ｉｔｄにあらかじめ設定した励磁電源変圧器９の％ＩＺであるＸを乗じて得られる信号ＸＩを出力する。
【００４３】
除算器２２２は、信号ＸＩを電圧検出信号Ｖｇｄで除して得られる信号ＸＩ／Ｖを出力する。
【００４４】
加算器２２３は、信号ＸＩ／Ｖにあらかじめ設定した余裕角設定γの余弦ｃｏｓγを加算して得られる信号ＸＩ／Ｖ＋ｃｏｓγを出力する。
【００４５】
逆余弦演算器２２４は、信号ＸＩ／Ｖ＋ｃｏｓγの逆余弦を演算して得られる信号を遅れ位相αｓｈとして出力する。
【００４６】
（作用）
界磁遮断器３の放電極接点５を投入する前にサイリスタ整流器７を遅れ位相αｓｈで運転しておけば、（１）式の関係が成り立ち、（１）式の右辺の値が小さいほど、より速やかに主極接点４から放電極接点５への転流が行われる。そして、例えば（２）式によって算出した遅れ位相αｓｈでサイリスタ整流器７を点弧すれば、余裕角設定γに応じた余裕角でサイリスタ整流器７を運転することができ、転流失敗を防止しつつ最小の界磁電圧Ｖｆを出力することができる。これにより、放電極接点５の投入時に（１）式の関係を確実に成立させ、主極接点４から放電極接点５への転流をより速やかに行えるようになる。
【００４７】
（効果）
第２の実施形態によれば、第１の実施形態と同様の効果が得られるほか、例えば（２）式より求めた遅れ位相αｓｈでサイリスタ整流器７の位相遅れ運転を行うことで絶対値の大きい負の界磁電圧Ｖｆを出力することができるので、電流Ｉａの主極接点４から放電極接点５への転流時間をより短くすることができ、主極接点４の無通電開放をより確実に行える。
【００４８】
以上詳述したように、上述した各実施形態によれば、界磁遮断器３を遮断するに際し、主極接点４にアーク放電を発生させずに、主極接点４を無通電状態で速やかに開放することができる。
【００４９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５０】
１…同期機、２…界磁巻線、３…界磁遮断器、４…主極接点、５…放電極接点、６…放電抵抗器、７…サイリスタ整流器、８…自動電圧調整装置、９…励磁電源変圧器、１０…計器用変圧器、１４…電圧検出手段、１５…電圧設定手段、１６…電圧制御手段、１７…点弧位相制限手段、１８…ゲートパルス発生手段、１９…界磁遮断器遮断手段、２０…減算器、２１…電流検出手段、２２…遅れ位相演算手段、２２１…乗算器、２２２…除算器、２２３…加算器、２２４…逆余弦演算器。
【図１】
0006495637.tif 000002
【図２】
0006495637.tif 000003
【図３】
0006495637.tif 000004
【図４】
0006495637.tif 000005